(57)【要約】  【課題】  使用される光変換型無線信号中継増幅システムの数が増加しても監視に使用する回線の数を増加させない通信システムを提供する。  【解決手段】  この発明の通信システムの光変換型無線信号中継増幅システムが複数系統ＲＳ１,ＲＳ２使用された場合、監視局との情報の授受は単一の回線ＬＬ０を介して実行できる。すなわち、ＭＳスイッチ１１１，２１１（マスタ・スレーブ設定スイッチ）の設定により、複数系統の中継増幅システムのうちの適宜なもの、例えば、中継増幅システムＲＳ１の親局装置１１１をマスタ親局装置に設定し、残りの例えば中継増幅システムＲＳ２の親局装置１１２をスレーブ親局装置に設定する。マスタ親局装置のみがＬＬインタフェース１１３を介して単一の回線ＬＬ０に接続されているので、スレーブ親局装置の監視に関する情報は、マスタ親局装置、および、ＰＫインタフェース１１２，２１２、ネットワーク１１４を経由して監視局と授受される。  【選択図】  図２
2006128981.tif 000002
【特許請求の範囲】
【請求項１】
監視局と親局装置が授受する電気信号を光信号に変換して複数の子局装置との間で授受することにより、各子局装置が自局のサービス提供領域にある端末装置に良好な通信サービスを提供することができる光交換型無線信号中継増幅システムを複数系統有し、これらの光交換型無線信号中継増幅システムの動作を監視局が一般公衆回線網を経由して監視制御する通信システムにおいて、
複数の親局装置のうちの一つをマスタ親局装置に、他の親局装置をスレーブ親局装置にそれぞれ設定するマスタ・スレーブ設定部と、
親局装置の間を接続するために配置された親局装置間接続用ネットワークと、
親局装置間接続用ネットワークを介して親局装置の間を通信可能に接続している親局装置接続用インタフェースと、
親局装置がマスタ親局装置に設定されたときには、そのマスタ親局装置を単一の通信回線に接続させ、監視局との間の監視制御情報の授受を可能にさせるとともに、スレーブ親局装置と監視局との間の監視制御情報の授受を前記単一の通信回線を介して実行させるように制御する回線接続用インタフェースとを有することを特徴とする通信システム。
【請求項２】
前記光交換型無線信号中継増幅システムの親局装置は、マスタ・スレーブ設定部と、親局装置接続用インタフェースと、回線接続用インタフェースとを各親局装置に設けている請求項１記載の通信システム。
【請求項３】
マスタ親局装置によるスレーブ親局装置および子局装置の監視は、ポーリング方式によって行われる請求項１または２記載の通信システム。
【発明の詳細な説明】
【技術分野】
【０００１】
本発明は、通信システムに関し、特に、監視局と親局装置が授受する電気信号を光信号に変換し、電波の到達が困難な場所になどにある複数の子局装置との間でその光信号を授受することにより、各子局装置が自局のサービス提供領域にある端末装置に良好な通信サービスを提供することができる光交換型無線信号中継増幅システムを複数系統有し、これらの光交換型無線信号中継増幅システムの動作を監視局が一般公衆回線網を経由して監視制御する通信システムに関する。
【背景技術】
【０００２】
携帯電話やページャのような移動体通信に用いられる端末装置に向けて電波を送信し、あるいは、端末装置からの電波を受信するために、ＲＦ信号の増幅器を含む無線信号増幅器を使用しているが、トンネル、地下街、地下鉄の駅、ビルディングの中などに対しては電波が到達しにくいために、良好な無線通信サービスを提供できない場合がある。このような電波が到達しにくい不感地のための対策としては、光ファイバーケーブルを用いた光変換型無線信号中継増幅システムが利用される。このように利用される理由としては、光ファイバーが細径であって伝送損失が小さいので無線信号を長距離伝送するのに適しているからである。
【０００３】
図６は、光変換型無線信号中継監視システムが監視局とどのように接続されているかを説明するためのブロック図である。図６の通信システム５００において、光変換型無線信号中継増幅システムＲＬ１，ＲＬ２（以降、中継増幅システムＲＬ１，ＲＬ２）は、モデムＭＤ１，ＭＤ２を含むそれぞれの回線ＬＬ１，ＬＬ２および一般公衆回線網ＮＥＴを介して監視局ＳＶＹに接続されている。図６の例は説明を容易にするために、使用される中継増幅システムは２系統（ＲＬ１，ＲＬ２）で示され、また、各親局装置に管理される子局装置も単数で示されているが、中継増幅システムは２系統以上、また、各親局装置に管理される子局装置も複数配置されるのが普通である。
【０００４】
図６の中継増幅システムＲＬ１，ＲＬ２は同様な機能を有しており、電波状態の良好な場所における電波などを介して信号の授受を行う親局装置５１０，６１０と、親局装置５１０，６１０からの下り光信号が通る光ケーブル２１および親局装置５１０，６１０への上り光信号が通る光ケーブル２２を含む伝送ケーブル５２０，６２０と、光ケーブル２１，２２を介して親局装置５１０，６１０と信号の授受を行うことによって、地下街などの電波が到達しにくい不感地における端末装置に通信サービスを提供する子局装置５３０，６３０とを有する。
【０００５】
親局装置５１０，６１０および子局装置５３０，６３０をさらに詳しく示せば図７のようになる。中継増幅システムＲＬ１，ＲＬ２の構成および動作は同じなので必要が無い限り、説明は中継増幅システムＲＬ１についてのみ行う。中継増幅システムＲＬ１において、変復調装置（不図示）から電波として出力された下り送信信号は、アンテナあるいはケーブルを介して下り電気信号として親局装置５１０の入力端Ｐ１１に印加される。入力端Ｐ１１に印加された下り電気信号は、帯域通過フィルタ１１（ＢＰＦ１１）、増幅器１２、電気／光変換器１３（Ｅ／Ｏ１３）を経由して下り光信号に変換され、伝送ケーブル５２０に含まれる光ケーブル２１に引き渡される。光ケーブル２１を通過した下り光信号は、光／電気変換器３１（Ｏ／Ｅ３１）、増幅器３２、ＢＰＦ３３を経由して下り電気信号に変換され、子局装置５３０の出力端Ｑ１１から出力され、後続の回路およびアンテナを経由して子局装置５３０が担当する地域の端末装置に向けた電波などの送信信号として出力される。
【０００６】
子局装置５３０が担当する地域の端末装置から出力される上り送信信号は、アンテナあるいはケーブルを介して子局装置５３０によって受信処理され、上り電気信号として子局装置５３０の入力端Ｐ２２に印加される。入力端Ｐ２２に印加された上り電気信号は、ＢＰＦ３４、増幅器３５を経由してＥ／Ｏ３６により上り光信号に変換され、伝送ケーブル５２０に含まれる光ケーブル２２に引き渡される。光ケーブル２２を通過した上り光信号は、親局装置５１０のＯ／Ｅ１４によって光／電気変換され、増幅器１５、ＢＰＦ１６を経由して上り電気信号に変換され、親局装置５１０の出力端Ｑ２２から出力される。出力端Ｑ２２から出力される上り電気信号は、後続の回路およびアンテナあるいはケーブルを経由して変復調装置に引き渡され、さらに監視局ＳＶＹに引き渡される。
【０００７】
上述のような子局装置５３０は、端末装置との間の動作を監視および制御する子局監視制御部であるモデム３８（ＭＯＤＥＭ３８）およびＣＰＵ３９を有し（図７）、親局装置５１０は、子局装置５３０との間の動作を監視および制御する親局監視制御部であるモデム１８およびＣＰＵ１９を有している。親局監視制御部は、監視局ＳＶＹから指示を受けたときにはそれを子局監視制御部に伝達するなどで適切に処理し、必要があるときには、必要な監視制御情報を監視局ＳＶＹに伝達する。この場合、これらの監視制御に関する情報の伝達は、中継増幅システムＲＬ１，ＲＬ２の親局装置５１０，６１０と、監視局ＳＶＹとの間において、別々な回線ＬＬ１，ＬＬ２を経由して実行される。
【０００８】
上述の例の場合、親局装置５１０のＣＰＵ１９は、動作状態監視を行い、あるいは受け取って、その監視に係わる情報をモデム１８に引き渡し、モデム１８は、その情報に基づいてＥ／Ｏ１３に変調をかけ、その情報を下りのＥ／Ｏ電流に重畳させ、子局装置５３０に伝送する。また、子局装置５３０から送られてきた上りのＥ／Ｏ電流に重畳させられた動作状態監視に係わる情報を、モデム１８がＯ／Ｅ１４から抽出し、ＣＰＵ１９に引き渡すことによって、ＣＰＵ１９は、子局装置５３０の動作状態を認識することができる。これらの動作は、子局装置５３０においても、モデム３８とＣＰＵ３９とによって同様に処理される。
【０００９】
これ以外の例として、複数の親局装置をマスタ・スレーブ関係を持つように接続構成する技術が提案されている（例えば、特許文献１を参照）。この提案においては、マスタ親局装置に複数のスレーブ親局装置が接続され、マスタ親局装置およびスレーブ親局装置に複数の子局装置が接続され、マスタ親局装置は、さらに接続ケーブルを介して監視局に接続されている。そして監視局は、配下にある全ての親局装置および子局装置の状態の監視を行うことができる。特には、マスタ親局装置とスレーブ親局装置とが正常な稼働状態で、正常に接続されているか否かを自動的に判断できるように構成されている。
【特許文献１】特開２００２−２０９０１４号公報（図３、段落［００２１］〜［００２４］）
【発明の開示】
【発明が解決しようとする課題】
【００１０】
上述のように、複数の中継増幅システムが監視局と監視制御に関する情報を授受する場合、それぞれ別個の回線を使用している。したがって、使用される中継増幅システムの数が増加すればするだけ必要回線数が増加し、それらの回線を使用するための運営コストが増大してしまうとともに、この運営コストは、中継増幅システムを使用する限り恒久的な経費となってその低減が難しいという問題がある。
【課題を解決するための手段】
【００１１】
上述した課題を解決するため、本発明の通信システムは、監視局と親局装置が授受する電気信号を光信号に変換して複数の子局装置との間で授受することにより、各子局装置が自局のサービス提供領域にある端末装置に良好な通信サービスを提供することができる光交換型無線信号中継増幅システムを複数系統有し、これらの光交換型無線信号中継増幅システムの動作を監視局が一般公衆回線網を経由して監視制御する通信システムにおいて、複数の親局装置のうちの一つをマスタ親局装置に、他の親局装置をスレーブ親局装置にそれぞれ設定するマスタ・スレーブ設定部と、親局装置の間を接続するために配置された親局装置間接続用ネットワークと、親局装置間接続用ネットワークを介して親局装置の間を通信可能に接続している親局装置接続用インタフェースと、親局装置がマスタ親局装置に設定されたときには、そのマスタ親局装置を単一の通信回線に接続させ、監視局との間の監視制御情報の授受を可能にさせるとともに、スレーブ親局装置と監視局との間の監視制御情報の授受を前記単一の通信回線を介して実行させるように制御する回線接続用インタフェースとを有する。
【００１２】
このような構成によれば、通信システムにおいて光変換型無線信号中継増幅システムが複数系統使用された場合、光変換型無線信号中継増幅システムと監視局との情報の授受は単一の回線を介して実行できる。すなわち、マスタ・スレーブ設定部の設定により、複数系統の光変換型無線信号中継増幅システムのうちの適宜なものの親局装置をマスタ親局装置に設定し、残りの光変換型無線信号中継増幅システムの親局装置をスレーブ親局装置に設定する。マスタ親局装置のみが回線接続用インタフェースを介して単一の通信回線に接続されるので、スレーブ親局装置の監視に関する情報は、マスタ親局装置、および、親局装置接続用インタフェース、ネットワーク１１４を経由して監視局と授受される。したがって、各光変換型無線信号中継増幅システムを別々の通信回線で監視局に接続する必要がなくなる。
【００１３】
また、この発明において、前記光各交換型無線信号中継増幅システムの親局装置は、マスタ・スレーブ設定部と、親局装置接続用インタフェースと、回線接続用インタフェースとを各親局装置に設けるのが好ましい。さらに、マスタ親局装置によるスレーブ親局装置および子局装置の監視は、ポーリング方式によって行われるのが好ましい。なお、マスタ・スレーブ設定部は、マスタ・スレーブ設定用スイッチなどで簡単に構成するのが好ましい。
【発明の効果】
【００１４】
以上に詳述したように本発明の通信システムは、上述したように構成されているので、使用される光変換型無線信号中継増幅システムの数が増加しても監視制御のために使用する回線の数を増加させず、運営コストを低減することができる。すなわち、複数の親局装置を一つのマスタ親局装置と、他のスレーブ親局装置とをマスタ・スレーブ設定部により設定し、全ての監視制御に関する監視局との情報の授受をマスタ親局装置および単一の回線を介して実行できるからである。また、親局装置を同じ形式に構成すれば、効率よく生産することができ、マスタ・スレーブ設定部による設定だけで親局装置をマスタあるいはスレーブに自在に設定でき、使い勝手がよい。
【発明を実施するための最良の形態】
【００１５】
以下、本発明の実施の形態について図面を参照しつつ説明する。図１は、本発明の通信システムの実施の形態を示すブロック図、図２は、図１の通信システムの説明を容易にするために、２つの光交換型無線信号中継増幅システムを用いた簡単な通信システムの例を示すブロック図、図３は、図１および図２で示された光交換型無線信号中継増幅システムをさらに詳細に示すブロック図、図４は、図２で示される親局装置接続用インタフェースおよび親局装置間接続用ネットワークの部分を詳しく示すブロック図、図５は、図１の通信システムにおいて行われるポーリング方式のシーケンスを示す図である。
【００１６】
図１の通信システム１００において、３系統（これ以上であってもよい）の光変換型無線信号中継増幅システムＲＳ１，ＲＳ２，ＲＳ３は、光変換型無線信号中継増幅システムＲＳ１およびモデムＭＤ０を含む回線ＬＬ０並びに一般公衆回線網ＮＥＳを介して監視局ＳＶＳに接続されている。光変換型無線信号中継増幅システムＲＳ１は、マスタに設定された親局装置であるマスタ親局装置Ｐ１と、マスタ親局装置Ｐ１に伝送ケーブルで接続され、マスタ親局装置Ｐ１によって制御される子局装置Ａ１〜ＡＬとを含む。また、光変換型無線信号中継増幅システムＲＳ２，ＲＳ３は、スレーブに設定された親局装置であるスレーブ親局装置Ｐ２，Ｐ３と、スレーブ親局装置Ｐ２，Ｐ３に伝送ケーブルで接続され、スレーブ親局装置Ｐ２，Ｐ３によってそれぞれ制御される子局装置Ｂ１〜ＢＭ，Ｃ１〜ＣＮとを含んでいる。この例において、マスタ親局装置によるスレーブ親局装置および子局装置の監視は、ポーリング方式によって行われるのが好ましい。また、監視局ＳＶＳは、光変換型無線信号中継増幅システムＲＳ１，ＲＳ２，ＲＳ３の親局装置Ｐ１，Ｐ２，Ｐ３および子局装置Ａ１〜ＡＬ，Ｂ１〜ＢＭ，Ｃ１〜ＣＮをポーリング方式に従って監視するのも好ましい。
【００１７】
上述のポーリング方式の一例について図５のタイムシーケンスを参照して説明する。各親局装置Ｐ１，Ｐ２，Ｐ３は、下位に接続された子局装置Ａ１〜ＡＬ，Ｂ１〜ＢＭ，Ｃ１〜ＣＮへ順番に状態要求信号を出し、その応答信号である状態報告信号を受け取ることによって各子局装置の状態を把握する。マスタに設定されたマスタ親局装置Ｐ１は、配下として接続されている親局装置Ｐ２，Ｐ３にも自局の子局装置Ａ１〜ＡＬに対すると同様にポーリングによる状態要求信号を送出する。
【００１８】
上述の場合には、スレーブ親局装置Ｐ２，Ｐ３は、自局の情報の他に、その下位にある子局装置Ｂ１〜ＢＭ，Ｃ１〜ＣＮの状態も親局装置Ｐ１に状態報告信号として送出する。この動作により、マスタ親局装置Ｐ１は、中継増幅システムＲＳ１，ＲＳ２，ＲＳ３の監視情報を一括して管理することができる。このように、監視局ＳＶＳから状態報告要求を受けた場合には、マスタ親局装置Ｐ１は、中継増幅システムＲＳ１，ＲＳ２，ＲＳ３の監視情報を監視局に報告する。あるいは、中継増幅システムＲＳ１，ＲＳ２，ＲＳ３に異常が発生したような場合、監視局にダイヤルアップし、異常の内容を報告する。
【００１９】
図１の通信システムの説明を容易にするために、図２のように２系統の光変換型無線信号中継増幅システムＲＳ１，ＲＳ２（以降、中継増幅システムＲＳ１，ＲＳ２と記す）が配置された通信システム１０１について説明する。この場合、それぞれの中継増幅システムＲＳ１，ＲＳ２は、それぞれ一つの子局装置１３０，２３０を監視制御するものとする。中継増幅システムＲＳ１は、親局装置１１０と、伝送ケーブル１２０と、子局装置１３０とから構成され、中継増幅システムＲＳ２は、親局装置２１０と、伝送ケーブル２２０と、子局装置２３０とから構成されている。なお、入力端Ｐ１１および出力端Ｑ２２は、モデムＭＤＯを介して単一の回線ＬＬ０に接続されている。この例の場合、モデムＭＤＯは、マスタ親局装置１１０とは別体となるように構成されているが、マスタ親局装置１１０と一体となるように構成されていてもかまわない。
【００２０】
親局装置１１０は、帯域通過フィルタ１１（ＢＰＦ１１）、増幅器１２、電気／光変換器１３（Ｅ／Ｏ１３）、Ｏ／Ｅ１４、増幅器１５、ＢＰＦ１６、モデム１８（ＭＯＤＥＭ１８）、ＣＰＵ１９、および、マスタ・スレーブ設定スイッチ１１１（マスタ・スレーブ設定部；スＭＳスイッチ１１１）、親局装置接続用インタフェース１１２（ＰＫインターフェース１１２）、回線接続用インタフェース１１３（ＬＬインターフェース３）を有する。親局装置２１０は、帯域通過フィルタ１１（ＢＰＦ１１）、増幅器１２、電気／光変換器１３（Ｅ／Ｏ１３）、Ｏ／Ｅ１４、増幅器１５、ＢＰＦ１６、モデム１８、ＣＰＵ１９、および、ＭＳスイッチ２１１、ＰＫインターフェース２１２、ＬＬインターフェース２１３を有する。
【００２１】
子局装置１３０，２３０は、光ケーブル２１，２２を含んでいる伝送ケーブル１２０，２２０によってそれぞれ親局装置１１０，２１０に接続されている（図２を参照）。子局装置１３０，２３０は、それぞれＯ／Ｅ３１、増幅器３２、ＢＰＦ３３、ＢＰＦ３４、増幅器３５、Ｅ／Ｏ３６、モデム３８、ＣＰＵ３９を有しており、Ｏ／Ｅ３１は、光ケーブル２１を介してＥ／Ｏ１３と接続され、Ｅ／Ｏ３６は、光ケーブル２２を介してＯ／Ｅ１４と接続されている（図３）。子局装置１３０，２３０の端末装置に向けた出力は、出力端Ｑ１１から出力され、端末装置からの入力は、入力端Ｐ２２に入力される。
【００２２】
次に、中継増幅システムＲＳ１，ＲＳ２の動作について説明する。この例においては、親局装置１１０のＭＳスイッチ１１１は、マスタに、親局装置２１０のＭＳスイッチ２１１は、スレーブに設定されている。したがって、親局装置１１０は、マスタとして動作できるように、予め記憶されたマスタ用の制御プログラムを読み込み、マスタ親局装置になるとともに、ＬＬインタフェース１１３をアクティブにさせる。親局装置２１０は、スレーブとして動作できるように、予め記憶されたスレーブ用の制御プログラムを読み込み、スレーブ親局装置になるとともに、ＬＬインタフェース１１３をインアクティブにさせる。また、これらのマスタ・スレーブの設定が正常に機能するように、親局装置１１０のＬＬインタフェース１１３は、単一の回線ＬＬ０に接続されているが、親局装置２１０のＬＬインタフェース２１３は回線に接続されておらず、マスタ親局装置１１０のＰＫインターフェース１１２と、スレーブ親局装置２１０のＰＫインターフェース２１２とは、親局装置間接続用ネットワーク１１４によって接続されている。
【００２３】
マスタ親局装置１１０の入力端Ｐ１１に印加されたマスタ親局装置１１０に対する下り電気信号は、図３に示されるように、ＬＬインタフェース１１３、ＢＰＦ１１、増幅器１２、Ｅ／Ｏ１３を経由して下り光信号に変換され、光ケーブル２１に引き渡される。光ケーブル２１を通過した下り光信号は、子局装置１３０のＯ／Ｅ３１によって下り電気信号に変換され、増幅器３２、ＢＰＦ３３を経由して出力端Ｑ１１から出力される。出力端Ｑ１１から出力された下り電気信号は、後続の回路およびアンテナを経由して子局装置１３０が担当する地域の端末装置に向けた送信信号として出力される。
【００２４】
子局装置１３０が担当する地域の端末装置から送信される上り送信信号は、アンテナあるいはケーブルを介して子局装置１３０によって受信処理され、上り電気信号として子局装置１３０の入力端Ｐ２２に印加される。入力端Ｐ２２に印加された上り電気信号は、ＢＰＦ３４、増幅器３５、Ｅ／Ｏ３６を経由して上り光信号に変換され、光ケーブル２２に引き渡される。光ケーブル２２を通過した上り光信号は、親局装置１１０のＯ／Ｅ１４で上り電気信号に変換され、増幅器１５、ＢＰＦ１６、ＬＬインタフェース１１３を経由して出力端Ｑ２２から出力される。出力端Ｑ２２から出力される上り電気信号は、さらに続く回路およびアンテナあるいはケーブルを経由して変復調装置に引き渡され、さらに監視局ＳＶＳに引き渡される。
【００２５】
図１ないし図３で示される中継増幅システムにおいて、例えば、マスタ親局装置１１０のＣＰＵ１９（図３）は、動作状態監視を行って、その監視に係わる情報および監視局ＳＶＳから受けた情報で、自己のシステム内で処理が必要な情報についてはモデム１８に引き渡し、モデム１８は、その情報に基づいてＥ／Ｏ１３に変調かけ、その情報を下りのＥ／Ｏ電流に重畳させ、子局装置２３０に伝送する。また、子局装置２３０から送られてきた上りのＥ／Ｏ電流に重畳させられた動作状態監視に係わる情報を、モデム１８がＯ／Ｅ１４から抽出し、ＣＰＵ１９に引き渡すことによって、ＣＰＵ１９は、子局装置２３０の動作状態を認識することができ、それを監視局ＳＶＳに回線ＬＬ０を介して伝送することができる。子局装置１３０，２３０は、端末装置に対して、モデム３８とＣＰＵ３９とによって親局装置と同様の処理をすることができる。
【００２６】
上述の場合と異なって監視局ＳＶＳと中継増幅システムＲＳ１のマスタ親局装置１１０の情報の授受が他のシステム（この例の場合、中継増幅システムＲＳ２）に関するものである場合には、マスタ親局装置１１０は、受け取った処理をＰＫインタフェース１１２，親局装置間接続用ネットワーク１１４，ＰＫインタフェース２１２を介して中継増幅システムＲＳ２のスレーブ親局装置２１０に引き渡す。スレーブ親局装置２１０は、自局に対する監視制御情報に関してマスタ親局装置１１０が実行したと同様な処理を行う。すなわち、マスタ親局装置１１０、モデムＭＤＯ、回線ＬＬ０、一般公衆回線網ＮＥＳを介して監視局ＳＶＳと監視に関する必要な情報の授受を行う。
【００２７】
さらに詳しく述べると、親局装置１１０のＰＫインターフェース１１２は、電気／光変換器１１２ａ（Ｅ／Ｏ１１２ａ）と、光／電気変換器１１２ｂ（Ｏ／Ｅ１１２ｂ）とを有し、親局装置２１０のＰＫインターフェース２１２は、電気／光変換器２１２ａ（Ｅ／Ｏ２１２ａ）と、光／電気変換器２１２ｂ（Ｏ／Ｅ２１２ｂ）とを有している。また、親局装置間接続用ネットワーク１１４は、図３および図４に示されるように光ケーブル１１４ａ，１１４ｂとから構成されている。
【００２８】
このような構成において、マスタ親局装置１１０が監視局ＳＶＳから受け取ったスレーブ親局装置２１０向けの下り信号などは、マスタ親局装置１１０のＣＰＵ１９からＥ／Ｏ１１２ａに引き渡され、電気／光変換され、光ケーブル１１４ｂを経由してスレーブ親局装置２１０のＯ／Ｅ２１２ｂに引き渡され、光／電気変換され、スレーブ親局装置２１０のＣＰＵ１９に引き渡され、スレーブ親局装置２１０が処理する。スレーブ親局装置２１０が子局装置から受け取った監視局ＳＶＳ向けの上り信号は、スレーブ親局装置２１０で必要な処理が行われた後に、スレーブ親局装置２１０のＣＰＵ１９からＥ／Ｏ２１２ａに引き渡され、電気／光変換され、光ケーブル１１４ａを経由してマスタ親局装置１１０のＯ／Ｅ１１２ｂに引き渡され、光／電気変換され、マスタ親局装置１１０のＣＰＵ１９に引き渡され、マスタ親局装置１１０は引き渡された情報を単一の回線ＬＬ０を介して監視局ＳＶＳに送信する。
【００２９】
上述のことから明らかなように、中継増幅システムＲＳ１，ＲＳ２ごとに動作状態監視の処理のために、従来のように別々の回線を設ける必要がなく、単一の回線ＬＬ０で充分である。また、親局装置１１０，２１０は、同じ形式に構成されているので、ＭＳスイッチ１１１，２１１により、いずれの親局装置をもマスタあるいはスレーブに自在に設定でき、使い勝手が良く、製造に関しても効率がよい。
【図面の簡単な説明】
【００３０】
【図１】本発明の通信システムの実施の形態を示すブロック図である。
【図２】図１の通信システムの説明を容易にするために、２つの光交換型無線信号中継増幅システムを用いた簡単な通信システムの例を示すブロック図である。
【図３】図１および図２で示された光交換型無線信号中継増幅システムをさらに詳細に示すブロック図である。
【図４】図２で示される親局装置接続用インタフェースおよび親局装置間接続用ネットワークの部分を詳しく示すブロック図である。
【図５】図１の通信システムにおいて行われるポーリングのシーケンスを示す図である。
【図６】通信システムの従来例を示すブロック図である。
【図７】図６で示された光交換型無線信号中継増幅システムを詳細に示すブロック図である。
【符号の説明】
【００３１】
１１，１６，３３，３４  ＢＰＦ（帯域通過フィルタ），１２，１５，３２，３５  増幅器，１３，３６  Ｅ／Ｏ（電気／光変換器），１４，３１  Ｏ／Ｅ（光／電気変換器），１８，３８，ＭＤＯ  モデム，２１，２２，１１４ａ，１１４ｂ  光ケーブル，１００，１０１  通信システム，Ｐ１〜Ｐ３，１１０，２１０，３１０  親局装置，１１１，２１１  ＭＳスイッチ（マスタ・スレーブ設定スイッチ），１１２，２１２  ＰＫインタフェース（親局装置接続用インタフェース），１１３，２１３  ＬＬインタフェース（回線接続用インタフェース），１１４  親局装置間接続用ネットワーク，１２０，２２０  伝送ケーブル，Ａ１〜ＣＮ，１３０，２３０  子局装置，ＲＳ１，ＲＳ２，Ｒ３  光交換型無線信号中継増幅システム，Ｐ１１，Ｐ２２  入力端，Ｑ１１，Ｑ２２  出力端，ＳＶＳ  監視局，ＮＥＳ  一般公衆回線網。
【図１】
2006128981.tif 000003
【図２】
2006128981.tif 000004
【図３】
2006128981.tif 000005
【図４】
2006128981.tif 000006
【図５】
2006128981.tif 000007
【図６】
2006128981.tif 000008
【図７】
2006128981.tif 000009